(57)【要約】【課題】  撮影前ライブ動画像表示時に、より解像度の高い映像信号を表示するモードを選択できるようにすることで、撮影前の画質の確認をより高画質で行え、撮影画像の画質の向上が得られるようにする。【解決手段】  撮影前ライブ動画像表示時に、選択されたモードまたはカメラの制御状態にあわせて撮像素子の駆動方法を変更し、表示において通常時より高い解像度の映像信号を表示するような撮像装置の制御を行う。【選択図】  図１
2007189528.tif 000002
【特許請求の範囲】
【請求項１】
被写体を撮像し、前記被写体に対応した映像信号を発生させるための撮像手段と、前記映像信号を表示するための表示手段と、前記撮像手段により第１の解像度を有する映像信号を出力させる第１の出力モードと、前記第１の解像度より低い第２の解像度を有する映像信号を出力させる第２の出力モードとのうち、何れか一方の出力モードに基づき前記撮像手段より映像信号を出力させる出力制御手段と、前記映像信号を一時的に記録するメモリと、映像信号の処理を行う映像信号処理部を持った撮像装置において、撮影前スルー画表示時において、第１の撮影モードでは前記第１の解像度を有する第１の出力モードと、前記第２の解像度を有する第２の出力モードを、任意の時間の割合で切り替えて選択し、得られる映像信号に対して第１の出力モードでの映像信号と第２の映像信号の出力をで置き換えてを出力するように撮像手段を制御し、前記第１の解像度を有する映像信号を前記メモリ上へ記録し、前記第２の映像信号が出力された場合には前記メモリ上の映像信号の一部を更新するように映像信号処理部が制御し、前記映像信号処理部の出力映像信号を表示手段へ出力する第１の撮影モードと、第２の撮影モードでは、前記第２の解像度を出力する第２の出力モードを選択し、前記第２の映像信号を前記メモリ上へ記録し、前記メモリ上の映像信号から映像信号処理部が表示用データを作成し表示手段へ出力する第２の撮影モードを有することを特徴とした撮像装置。
【請求項２】
前記映像信号処理部において、弟１の撮影モードでは、高解像度の映像信号は表示部の表示領域に合わせて縮小またはそのまま表示し、低解像度の映像信号は表示部の表示領域に合わせて拡大、高解像度読み出し時に得られた映像信号に対して重み付けを加えて演算処理した映像信号を表示することを特徴とした請求項１に記載の撮像装置。
【請求項３】
前記映像信号処理部において、弟１の撮影モードでは、低解像度の映像信号を前記メモリ上の高解像度の映像信号上に置き換えて記録する際に、メモリ上の記録位置を、時系列に変えることを特徴とした請求項１に記載の撮像装置。
【請求項４】
前記映像信号処理部において、前記メモリ上の映像信号を表示部へ出力するときに、弟１の撮影モードでは、時系列に係数を変化させたフィルタ処理をおこなうことを特徴とした請求項１に記載の撮像装置。
【発明の詳細な説明】
【技術分野】
【０００１】
本発明は、撮像装置に関するものである。
【背景技術】
【０００２】
従来の撮像装置のブロック図を図８に示す。撮像装置はレンズ、絞り兼用シャッタ、レンズおよびシャッタを駆動する駆動部、撮像素子、タイミングジェネレータ（ＴＧ），ＣＤＳ＋Ａ／Ｄ変換器からなるアナログ部と、ＲＯＭ、ＲＡＭ、ＣＰＵ、機器を操作するための操作部、および映像信号を記録する記録部、撮影された映像および記録部から読み出された映像を表示する表示部、外部モニタ機器と接続するI/F部からなっている。
【０００３】
本撮像装置では、操作部への入力に従って、映像の撮影・記録、記録された画像データの再生、通信による画像データの転送などの機能を持っている。これらの機能は、ＲＯＭ内に記録されたプログラムに従って動作することで実現可能となっている。動作モードとしては、静止画撮影モード、動画撮影モード、再生モードの３つを持っている。以下にそれぞれのモードでの動作について述べる。
【０００４】
撮影モード時では、まず静止画撮影前のフレーミング動作のために操作者に対してライブ動画像表示を行う。このとき外部モニタは接続されていないものとする。ＣＰＵはＴＧおよびＣＤＳ＋Ａ／Ｄ変換器を駆動するための同期信号を出力し、この同期信号に従って、ＴＧは撮像素子を駆動し、映像信号を読み出す。このときの撮像素子の駆動レートは、表示部での動画対応レートに対応した駆動速度、ここでは３０フィールド／ｓｅｃの駆動レートになっている。読み出された映像信号は同期信号に従ってＣＤＳ＋Ａ／Ｄ変換器へ入力され、デジタルデータに変換される。デジタルデータとなった映像信号は、ＣＰＵの制御により一時的にＲＡＭ上の表示画像バッファに記録され、その後ＣＰＵの画像処理により表示部の画素数にあわせた任意の形式の画像データに変換される。この画像データは、ＣＰＵにより任意の周期でＲＡＭ上から表示部へ送られ、撮影前のライブ動画像を表示する。
【０００５】
操作部中の図示しないレリーズが押されると、ＣＰＵはライブ動画像の表示を中断し、記録用画像データの読み出し・撮影を行う。このときは、ライブ動画像撮影のための駆動とは異なり、静止画撮影用の駆動波形にて撮像素子の駆動・露光データ読み出しが行われる。撮影された画像データはＣＰＵにより記録するためのフォーマットに変換された後、記録部上の記録媒体に記録する。記録後、ＣＰＵは記録画像を読み出し、撮影された画像の形式を表示部に対して適切な解像度となるように変換し、そのデータを表示部へ送ることで、撮影者に対して画像を表示する。撮影データの表示から一定時間経過後、ＣＰＵは再度ライブ動画像の表示モードへ移行する。ＣＰＵは元の動画撮影のための駆動波形を出力し、撮像素子からライブ動画像の映像信号を読み出し、ＲＡＭ上に記録し、任意の画像処理を行った後表示部へ送り、操作者に対してライブ動画像を表示する。
【０００６】
動画撮影モードでの動作は以下のようになる。まず撮影前のフレーミング動作のために操作者に対してライブ動画像表示を行う。このとき外部モニタは接続されていないものとする。ＣＰＵはＴＧおよびＣＤＳ＋Ａ／Ｄ変換器を駆動するための同期信号を出力し、この同期信号に従って、ＴＧは撮像素子を駆動し、映像信号を読み出す。このときの撮像素子の駆動レートは、前述した静止画撮影前のフレーミング動作時と同じ、表示部での動画対応レートに対応した駆動速度になっている。読み出された映像信号は同期信号に従ってＣＤＳ＋Ａ／Ｄ変換器へ入力され、デジタルデータに変換される。デジタルデータとなった映像信号は、ＣＰＵの制御により一時的にＲＡＭ上の表示画像バッファに記録され、その後ＣＰＵの画像処理により任意の解像度・形式の画像データに変換される。この画像データは、ＣＰＵにより任意の周期でＲＡＭ上から表示部へ送られ、撮影前のライブ動画像を表示する。
【０００７】
操作部中の図示しないレリーズが押されると、ＣＰＵはこれ以降から映像信号の記録を開始する。撮像素子から読み出されたデジタル映像信号を前記表示画像バッファとは異なる領域の変換バッファへ記録し、その後任意の信号処理を行い記録のための動画像データに変換し、ＲＡＭ上の異なる領域の動画像バッファへ記録する。動画像バッファに一時的に記録された映像信号は、任意のタイミングで記録部へ送られ、記録媒体上に記録され、該当するバッファの領域を開放する。また、変換バッファ上のデータは、ＣＰＵにより表示のための任意の変換処理を行った後表示画像バッファに記録され、任意の周期でＲＡＭ上から表示部へ送られ、操作者に対して記録中データとして操作者に対して表示する。記録中、動画像バッファが一杯になった時点、または操作者からの入力として記録終了のためのレリーズが押されると、ＣＰＵは撮像素子の読み出しは終了せずに動画像の記録を終了し、そのときまだ動画像バッファに残っている動画像データを記録部へ送り、記録媒体上に記録する。その後、ＣＰＵは再度フレーミングのためのライブ動画像表示処理に移行し、操作者に対してライブ動画像を表示する。
【０００８】
再生時の動作は以下のようになる。操作部へ画像データ再生の指示が入力されると、ＣＰＵは記録媒体上にある任意の画像データを読み出し、ＲＡＭ上に記録する。次にＣＰＵはＲＡＭ上の画像データを任意の画像形式に変換した後、表示画像バッファへ記録する。表示画像バッファ上のデータは、任意の周期でＣＰＵにより表示部へ送られ、記録画像データを映像として操作者に表示する。次の画像データの表示の指示が操作部へ入力されると、ＣＰＵは記録媒体上の次の画像データを記録部を通じて読みだし、ＲＡＭ上の前回の画像データが記録されている部分とは異なる部分に記録し、再度画像形式の変換を行ったデータ表示画像バッファを介して表示部へ送り、表示部に表示されている画像データを更新する。
【０００９】
又、内ディスプレイと外ディスプレイを持ち、外ディスプレイには内ディスプレイと同一の画像またはあらかじめ予約された画像を表示させる技術が特許文献１に記載されている。
【特許文献１】特開２００３−３２４６３２号公報
【発明の開示】
【発明が解決しようとする課題】
【００１０】
以上述べてきたように、ライブ動画像表示の場合、表示するために撮像素子から読み出される画像データは、動画としてのフレームレートを満足するために低解像度の映像信号を用いており、解像度が低いためにライブ動画像表示時におけるフォーカス・露出等の確認が困難な場合があった。
【課題を解決するための手段】
【００１１】
本発明は、上記事情を考慮してなされたものであり、撮影前ライブ動画像表示時に、選択された状態にあわせて撮像素子の駆動方法を変更することで、表示において最適な解像度の映像信号を得ることができるようにすることを目的とした、撮像装置の制御方法を提供することにある。
【発明の効果】
【００１２】
本発明によれば、撮影前ライブ動画像表示時に、高解像度モードが選択された場合や、フォーカスが駆動された場合などの動作条件おいて、撮像素子の駆動方法を変更することで、表示においてより解像度の高い映像信号を得ることができ、撮影前の画質の確認がより高画質で行えることで、撮影画像の画質の向上が得られる。
【発明を実施するための最良の形態】
【００１３】
次に、本発明の詳細を実施例の記述に従って説明する。
【実施例１】
【００１４】
以下、本発明の詳細を図示の実施例によって説明する。図２は本発明の第１の実施例に係わる撮像装置のブロック図である。前記撮像装置は被写体映像を撮像素子上に結像するためのレンズ201、撮像素子遮光のための絞り兼用シャッタ202、焦点距離調整のためのレンズの駆動および絞りを駆動する駆動部203、撮像素子（ＣＣＤ）204、ＣＤＳ＋Ａ／Ｄ変換器205、撮像素子駆動のためのタイミングジェネレータ（ＴＧ）206、機器の制御を行うＣＰＵ207、システムバス208、内部プログラムを格納するＲＯＭ209、一時データを記憶するＲＡＭ210、操作者からの指示を処理する操作部211、映像信号を操作者に対して表示する表示部212、撮影した画像を記憶媒体に記録する記録部213、外部モニタ機器と接続するI/F部214からなっている。からなっている。
【００１５】
本撮像装置では、操作部への入力にしたがって、静止画像の撮影・記録、動画像の撮影・記録、記録された画像データの再生、の機能を持ち、これらはＲＯＭに記録されたプログラムをＣＰＵが順次実行することにより実現される。また、本実施例の撮像素子は、表示部がもつ表示画素数より大きな画素数をもつものとし、ここではＬＣＤの有効画素数６４０ｘ４８０画素、撮像素子の有効画素数を２５６０ｘ１９２０とする。
【００１６】
まず、本実施例での撮像装置の、静止画像撮影時の動作について述べる。本実施例の撮像装置では、撮影前のライブ映像表示方法として、フレームレート優先モードと解像度優先モードを持っている。まずフレームレート優先モードでの処理について述べる。この処理では表示コマ速が秒３０コマとなるような表示画像を生成する制御を行う。操作者により撮影モードが選択されると、ライブ映像表示の動作を行う。装置の撮像素子の有効画素数を、ここでは横２５６０、縦１９２０としているので、フレームレート優先時の駆動方法としては縦を１／８に間引いてデータを出力するドラフト駆動方法で撮像素子を駆動する。この場合、データサイズとしては横２５６０、縦２４０となる。ＴＧのＣＬＫ周波数を２５ＭＨｚとすると、これに同期信号を付加した駆動信号の周期が秒３０コマ／ｓｅｃとなるように１Ｈの周期がおよそ１０６ｕｓとなるような同期信号をＣＰＵは生成し、かつＣＰＵはＴＧおよびＣＤＳ＋Ａ／Ｄ変換器に対して適切な設定を行い、撮像素子から動画像信号を読み出す。
【００１７】
読み出されたドラフト読みの映像信号は同期信号に従ってＣＤＳ＋Ａ／Ｄ変換器へ入力され、デジタルの映像信号に変換される。デジタルデータとなった映像信号は、ＣＰＵへ入力され、ＲＡＭ上の任意の領域に記録される。ここで撮像素子から読み出されたドラフトデータが２５６０ｘ２４０、ＬＣＤの有効表示画素数が６４０ｘ４８０であるので、ＣＰＵはＲＡＭ上の画像データに対して横方向画素数が１／４になるように縮小補間、縦方向画素数が２倍になるように、１ライン分データを２ライン化するようにコピー処理を行い、また画像データを表示用の任意の形式のフォーマットに変換し、ＲＡＭ上の別の領域に記録する。ＬＣＤ表示用画像データに変換された映像信号は、任意のタイミングでＣＰＵによりＲＡＭから読み出され、表示部へ送られて操作者に対してフレーミングのためのライブ映像データとして表示される。このデータは１／３０秒ごとに、撮像素子から読み出された新しい画像データが処理されるたびに更新される。
【００１８】
次に、解像度優先モードでの処理について述べる。この処理では表示コマ速を落とす代わりに、表示時の解像度を上げたライブ映像の表示を行うモードである。このモードでは、まず表示部の全画素数以上の大きさの画像を撮像素子から読み出して表示し、その後任意の期間は動画として表示させるための解像度の低いデータを撮像素子から読み出し、先に読み出されている高解像度のデータを用いてライブ映像表示データの作成・表示を行う。この読み出しの切り替えを示す図を図１に示す。本実施例ではライブ映像を最低限の動画として表示させるために、秒１８コマの表示を行うものとする。もちろんより高解像度なデータを表示させることを優先させる場合には、秒１０コマの表示としても構わないし、撮像素子の読み出し速度が十分速ければ、高解像度データを秒３０コマ表示させるようにしても構わない。ここでは秒１８コマの場合について以下に述べる。
【００１９】
解像度優先モードに設定されると、ＣＰＵはまず高解像度データの取得を行う。ここでは撮像素子の全画素データをフルフレーム読み出しにより取得し、このデータから表示部の解像度を満足する高解像度データを作成する。ＣＰＵは撮像素子のフルフレーム読み出しのための設定をＴＧ，ＣＤＳ＋Ａ／Ｄへ行い、またこれらの制御のための同期信号を生成し、撮像素子の駆動を行う。本実施例中の撮像素子は、全画素を２フィールドで読み出すフィールドインターライン型ＣＣＤとする。したがって、フルフレーム読み出しは、縦９６０、横２５６０の画素数の画像を２枚読み出すことで、演算により縦１９２０、横２５６０の画素数のデータが作成される。撮像のＣＬＫ周波数を前述のように２５ＭＨｚとすると、およそ２００ｍｓで１枚分の画像データが読み出される。このときの撮影では、シャッタは閉じないで撮影されるため、絞りや感度は本露光時とは異なるパラメータでの撮影となる。
【００２０】
このデータはＣＤＳ＋Ａ／Ｄによりデジタル化された後、一時的にＣＰＵによりＲＡＭ上の任意の領域に記録される。このときのＲＡＭ上の領域は、ＣＣＤ全面と対応する大きさの領域になっており、フルフレーム読み出しデータはこの領域全面を書き換えることになる。次にＣＰＵはこの画像データを表示部での必要画素数に現像・変換する。ここでは表示部の画素数は６４０ｘ４８０なので、縦横ともに１／４になるように縮小補間して、表示部が使用するフォーマット、ここではＲＧＢ形式のデータに変換されて表示部へ送られ、操作者に対してライブ映像として表示される。ここで先に記録しておいたフルフレームサイズの画像データは、後の処理のために破棄せずに保持しておく。
【００２１】
高解像度の画像データを１枚読み出した後には、動画としての表示を行うために、本実施例では次の一定期間、フレームレート優先モードと同じドラフト読みの設定を行い、画像データの読み出しを行う。前述したようにドラフトモードで読み出される画像サイズは２５６０ｘ２４０であり、先に読み出されたフルフレームデータに対して縦の解像度は１／８になっている。今回読み出されたドラフトデータは、図３に示すように先に記録保持されているフルフレーム画像データのうち１／８の領域のみ書き換えるように記録される。この際には、水平読み出しラインごとに付加されているＯＢデータも書き換えるように記録する。ドラフト読みでの画像データがＲＡＭ上に記録された後、ＣＰＵは表示用データの作成を行う。ＣＰＵは一部今回のドラフトデータが記録されたフルフレームデータに対して、解像度として違和感がないように、今回更新したドラフトデータのあるラインの係数がもっとも大きくなるような８タップのＬＰＦ処理を行う。この処理の状態を図４に示す。この処理後のデータは、前記フルフレームデータがかかれたＲＡＭ上の領域とは別の領域に記録される。以降ドラフト読みの時には、その読み出しごとにフルフレームデータを上書きする位置を変えていき、８フィールドで最初のフルフレームデータすべてが書き換わるような順序で記録していく。その場合も、直前に書き換えられたデータラインの係数が一番大きくなるようなＬＰＦ処理が行われる。フィルタ処理されたデータは、その後表示部の画素数に合わせるような処理が為され、表示データを作成するものとする。フルフレームデータが読み出された後、８枚のドラフトデータが読み出された時点でフルフレームデータは全て更新されることになり、動く被写体についても考慮されるデータとなっている。
【００２２】
ドラフトデータの読み出し時間は、本実施例では先に述べたように１枚がおよそ３３ｍｓなので、８枚を読み出した時点で再度フルフレーム読み出しを行い、ＲＡＭ上の全てのデータを更新する。その後、再度８枚のドラフト読みを行い、データを処理して順次ライブ映像として表示していく。このように処理をすることで、秒１８コマの、高解像度の表示データが生成され、撮影時によりフォーカスや露出の状態等が分かりやすいデータを表示することができる。
【００２３】
また、本実施例ではユーザーによる操作から、フレームレート優先モードと解像度優先モードを切り替えるようになっているが、これを撮影モードの中に組み込むようにし、例えばマニュアルモードでは常に解像度優先モードとなり、オートモードでは常にフレームレート優先モードとなるようにすることもまた可能である。
【００２４】
次に静止画像撮影時の動作を説明する。操作者により操作部中の図示しないレリーズが押されると、ＣＰＵはライブ映像の表示を中断し、記録用画像データの読み出し・撮影を行う。ＣＰＵは本露光用の同期信号を生成し、ＴＧおよびＣＤＳ＋Ａ／Ｄ変換器に入力する。また、ＣＰＵは、ライブ映像表示時の条件から本露光時の撮像素子の露光時間を決定し、任意のタイミングで露光を開始する。露光終了後、ＣＰＵは絞り兼用シャッタを閉じるように駆動し、撮像素子の本露光を終了する。本露光後、ＣＰＵはＴＧに対して本露光映像信号読み出しのための設定を行い、ＴＧは同期信号に従い、本露光用の撮像素子駆動信号を生成・印加し、撮像素子から本露光映像信号を読み出す。本露光用映像信号はＣＤＳ＋Ａ／Ｄ変換器によりデジタルデータに変換され、ＣＰＵを介してＲＡＭ上の任意の領域に記録される。読み出し終了後、ＣＰＵはＲＡＭ上の本露光映像信号に対して現像処理を行った後、データを符号化部へ送り、圧縮処理および任意の画像形式への変換処理を行う。この画像データは再度ＲＡＭ上の別の領域に、画像データとして記録される。次に画像データはＣＰＵの制御により記録部へ送られ、記憶媒体上の任意の領域に記録・保存される。また、ＣＰＵは、ＲＡＭ上の符号化された画像データに対して表示用の処理を行い、このデータを表示部へ送り、操作者に対して撮影画像として表示する。本露光撮影終了後、任意の時間が経過した場合、ＣＰＵは表示部での撮影画像表示を中止し、再度ライブ映像表示を開始する。
【００２５】
動画像撮影時の動作は以下のようになる。動画像撮影においては、一定の周期で同じ画素数のデータを記録することが必要となるため、フレームレート優先モードと同じドラフト読みの設定を行い、画像データの読み出しを行う。動画像撮影モードへの移行の指示が入力されると、ＣＰＵはＲＯＭ上の設定値に従い、フレームレート優先モードと同じドラフト読みの設定を行い、まずライブ映像を表示部に対して送り、映像の表示を行う。操作部へ動画記録開始の指示が入力されると、ＣＰＵはＡＥ，ＡＦ動作を行った後、動画像の撮影を開始する。撮影前のライブ映像表示時と同様に、撮像素子の駆動および映像信号の処理を行い、得られた画像データをＲＡＭ上に一時記録する。この画像データに対して、記録用の変換処理を行った画像データを、順次記録部へ送り、動画像データとして記録する。また、この処理と並列に、ＲＡＭ上に一時記録された画像データに異なる処理を行い、表示部用のフォーマットに変換された画像データを作成し、前述のＲＡＭ上のデータとは異なる領域に記録し、任意のタイミングで前述した画像データを表示部へ送り、撮影データとして表示する。動画像データの記録・表示処理は、操作部への記録終了の支持が入力されるか、記録媒体の空き容量がなくなるか、または記録開始から一定時間が経過した時点まで継続される。記録終了の状態が発生した時点で、ＣＰＵは動画像の撮影動作を終了し、全てのデータを記録部へ送り、記録媒体上に記録した後、再びライブ映像の表示を行う。
【００２６】
本撮像装置の再生時の動作は以下のようになる。操作部へ再生モード移行の指示が入力されると、ＣＰＵは記録媒体上にある任意の画像データを読み出し、ＲＡＭ上に記録する。次にＣＰＵはＲＡＭ上の画像データを表示用の画像形式に変換した後、表示部へ送り、記録画像データを映像として操作者に表示する。ここでは表示部の有効画素数は６４０ｘ４８０なので、このサイズになるように元の画像データを縮小・補間して表示データを作成、表示する。次の画像データの表示の指示が操作部へ入力されると、ＣＰＵは記録媒体上の次の画像データを、記録部を通じて読みだし、ＲＡＭ上の前回の画像データが記録されている部分とは異なる部分に記録する。このデータに対しては前回の操作時と同様に、画像形式の変換を行ったデータを表示部へ送り、表示部に表示されている画像データを更新する。
【００２７】
以上述べてきたように、本実施例においては、ライブ映像表示時においてフレームレート優先モードと解像度優先モードを選択可能であり、解像度優先モードにおいては表示部がもつ最大の解像度に合わせてライブ映像の作成を行うため、撮影者に対してよりフォーカス・絞り値等の選択がしやすい画像を表示することを可能としている。
【実施例２】
【００２８】
図５は本発明の第２の実施例に係わる撮像装置のブロック図である。前記撮像装置は被写体映像を撮像素子上に結像するためのレンズ501、撮像素子遮光のための絞り兼用シャッタ502、焦点距離調整のためのレンズの駆動および絞りを駆動する駆動部503、撮像素子（ＣＭＯＳ）504、ＣＤＳ＋Ａ／Ｄ変換器505、撮像素子駆動のためのタイミングジェネレータ（ＴＧ）506、機器の制御を行うＣＰＵ507、システムバス508、内部プログラムを格納するＲＯＭ509、一時データを記憶するＲＡＭ510、操作者からの指示を処理する操作部511、映像信号を操作者に対して表示する表示部512、撮影した画像を記憶媒体に記録する記録部513、外部モニタ機器と接続するI/F部514、フォーカスに対する操作信号を入力するフォーカスリング515からなっている。
【００２９】
本実施例では、撮像素子としてランダムな読み出しが可能なＣＭＯＳセンサを搭載した場合について記述する。ＣＭＯＳセンサの画素数は第１の実施例と同様２５６０ｘ１９６０であり、センサの出力として１ラインごとに分けられた２つの読み出し口をもっており、この２ｃｈの同時読み出しが可能となっている。また、本実施例中の表示部は画素数１２８０ｘ９６０、３０ｆｐｓという高解像度の表示能力をもっている。撮像部、表示部のＣＬＫ周波数は４０ＭＨｚとする。
【００３０】
本撮像装置では、第１の実施例同様、操作部への入力にしたがって、静止画像の撮影・記録、動画像の撮影・記録、記録された画像データの再生、などの機能を持ち、これらはＲＯＭに記録されたプログラムをＣＰＵが順次実行することにより実現される。
【００３１】
本実施例での撮像装置の、静止画撮影時の動作について述べる。操作者により静止画撮影モードが選択されると、ライブ映像表示の動作を行う。この時点での撮像素子の駆動方法としては、図に示すような、消費電力の少ない、縦を４／８に間引いて１ｃｈのみを用いてデータを出力するドラフト駆動モードを使用する。この場合、データサイズとしては横２５６０、縦９６０となる。ＴＧのＣＬＫ周波数を４０ＭＨｚとすると、これに同期信号を付加した駆動信号の周期が秒３０コマ／ｓｅｃとなるように１Ｈの周期がおよそ６８ｕｓとなるような同期信号をＣＰＵは生成し、かつＣＰＵはＴＧおよびＣＤＳ＋Ａ／Ｄ変換器に対して適切な設定を行い、撮像素子から動画像信号を読み出す。
【００３２】
読み出されたドラフト読みの映像信号は同期信号に従ってＣＤＳ＋Ａ／Ｄ変換器へ入力され、デジタルの映像信号に変換される。デジタルデータとなった映像信号は、ＣＰＵへ入力され、ＲＡＭ上の任意の領域に記録される。このデータに対しては図６に示すようにセンサ上の画素の４画素分から２画素分の表示用データを生成するための補間処理を行い、これに現像処理を行ったデータをライブ画像データとしてＲＡＭ上の別の領域に記録する。ここで撮像素子から読み出されたライブ画像データが２５６０ｘ９６０、ＬＣＤの有効表示画素数が１２８０ｘ９６０であるので、ＣＰＵはＲＡＭ上の画像データに対して横方向画素数が１／２になるように縮小補間し、また画像データを表示用の任意の形式のフォーマットに変換し、ＲＡＭ上の別の領域に記録する。
【００３３】
ＬＣＤ表示用画像データに変換された映像信号は、任意のタイミングでＣＰＵによりＲＡＭから読み出され、表示部へ送られて操作者に対してフレーミングのためのライブ映像データとして表示される。このデータは１／３０秒ごとに、撮像素子から読み出された新しい画像データが処理されるたびに更新される。
【００３４】
操作者により操作部へ図示しないＳＷ１信号が入力されるか、またはフォーカスリングが操作されると、ＣＰＵは撮像素子の駆動方法を変更し、全画素読み出しモードへ移行する。全画素読み出しモードでは、ドラフトモードでは使用しなかった２ｃｈ目の読み出し口を使用して、撮像素子の駆動周波数を上げることなく２倍のデータを読み出すモードとなる。図に示すように、撮像素子の１ｃｈ、２ｃｈから２ライン交互のデータが順次読み出される。このデータは、２つのＣＤＳ＋Ａ／Ｄによりデジタル化された後、ＣＰＵによりＲＡＭ上の領域に記録される。ＲＡＭへの記録の際、１ｃｈ、２ｃｈから出力されたデータは、元の撮像素子上の配列に戻るよう、図７に示すようにＲＡＭの論理アドレス空間上において２ライン分のデータ領域ごとに切り替えて交互に記録していく。このときにかかる時間は１ｃｈのみ読み出すのにかかる時間と同じである。ＲＡＭ上への記録が終わると、ＣＰＵはこのデータに対してＳＷ１にて行われるＡＦ，ＡＥ動作のための処理を行うのと同時に、現像処理を行う。ＡＥ，ＡＦのためのデータ処理は、ＲＡＭ上に記録された現像前のデータをもとにして、あらかじめ設定された任意の領域ごとに、領域内の画素の輝度値にフィルタ処理・積分処理を施して演算された値を用いて、絞り・フォーカス部の制御に用いられる。現像処理では２つのｃｈから読み出されたデータをひとつの画像として現像処理し、ドラフトモードより解像度の高いデータを生成する。現像処理後は、データを符号化部へ送り、圧縮処理および任意の画像形式への変換処理を行い、再度ＲＡＭ上の別の領域に、画像データとして記録される。その後、ＣＰＵはＲＡＭ上の符号化された画像データに対して表示用の処理を行い、このデータを表示部へ送り、操作者に対して撮影画像として表示する。この後、任意の期間、画像の読み出しはドラフトモードにて行い、機器の消費電流を抑えるように駆動することも可能である。その際には、前記ドラフトモードよりも解像度をあげるため、ch1・ch2を交互に読み出し、前述したRAM上の全画素読み出しのデータに対して片側のｃｈのみの更新を行い、そうして得られた全画素分データから表示用データを作成することもまた可能である。
【００３５】
その後、ＳＷ２が押されたときには、ＣＰＵは本露光動作を行い、本露光動作および撮影された画像の記録を行う。本露光撮影終了後、任意の時間が経過した場合、ＣＰＵは表示部での撮影画像表示を中止し、再度ライブ映像表示を開始する。
【００３６】
以上述べてきたように、本実施例においては、ＳＷ１が押された後に解像度優先モードに移行するため、表示部がもつ最大の解像度に合わせてライブ映像の作成を行うため、撮影者に対してよりフォーカス・絞り値等の選択がしやすい画像を表示することを可能としている。
【図面の簡単な説明】
【００３７】
【図１】第１の実施例における、フレームレート優先モードと解像度優先モードでの時系列の読み出し方法を示した図
【図２】第１の実施例における装置のブロック図を示す図
【図３】第１の実施例における、解像度優先モードでのＤＲＡＭ上の画像データ配置を示す図
【図４】第１の実施例における、解像度優先モードでのフィルタ処理および現像処理の画素の位置関係を示す図
【図５】第２の実施例における装置のブロック図を示す図
【図６】第２の実施例における、ドラフトモードでの現像処理の画素の位置関係を示す図
【図７】第２の実施例における、全画素読み出し時の現像処理の画素の位置関係を示す図
【図８】従来の実施例における装置のブロック図を示す図
【符号の説明】
【００３８】
２０１  レンズ
２０２  絞り兼用シャッタ
２０３  駆動部
２０４  撮像素子
２０５  ＣＤＳ＋Ａ／Ｄ
２０６  ＴＧ
２０７  ＣＰＵ
２０８  システムバス
２０９  ＲＯＭ
２１０  ＲＡＭ
２１１  操作部
２１２  表示部
２１３  記録部
２１４  Ｉ／Ｆ部
５０１  レンズ
５０２  絞り兼用シャッタ
５０３  駆動部
５０４  撮像素子
５０５  ＣＤＳ＋Ａ／Ｄ
５０６  ＴＧ
５０７  ＣＰＵ
５０８  システムバス
５０９  ＲＯＭ
５１０  ＲＡＭ
５１１  操作部
５１２  表示部
５１３  記録部
５１４  Ｉ／Ｆ部
５１５  フォーカスリング
８０１  レンズ
８０２  絞り兼用シャッタ
８０３  駆動部
８０４  撮像素子
８０５  ＴＧ
８０６  ＣＤＳ＋Ａ／Ｄ
８０７  ＣＰＵ
８０８  ＲＯＭ
８０９  ＲＡＭ
８１０  操作部
８１１  表示部
８１２  記録部
８１３  Ｉ／Ｆ部
８１４  システムバス
【図１】
2007189528.tif 000003
【図２】
2007189528.tif 000004
【図３】
2007189528.tif 000005
【図４】
2007189528.tif 000006
【図５】
2007189528.tif 000007
【図６】
2007189528.tif 000008
【図７】
2007189528.tif 000009
【図８】
2007189528.tif 000010